(57)【要約】【課題】印刷用紙や印刷消耗品が無いために急ぎの印刷に応じることができない場合でも、所望の親展印刷ジョブの内容をコンピュータ等の端末のＷｅｂブラウザで閲覧できるようにして印刷物閲覧の代替行為を行える印刷システムを提供する。【解決手段】印刷システムのコンピュータ１は、親展情報を印刷装置２に送信する親展情報送信手段と、印刷装置２から送信された表示用データを表示するＷｅｂブラウザとを備え、一方、印刷装置２は、親展印刷ジョブを保存する親展印刷ジョブ保存手段と、コンピュータ１から送信された親展情報に基づいて親展印刷ジョブ保存手段に保存されている親展印刷ジョブの中から親展情報に該当する親展印刷ジョブを検索する親展印刷ジョブ検索手段と、検索後に親展情報に該当する親展印刷ジョブをＷｅｂブラウザで表示できるデータ形式に変換してコンピュータ１に送信する表示用データ送信手段とを備える。【選択図】図２
2015184948.tif 000002
【特許請求の範囲】
【請求項１】
通信回線を介して接続された端末と印刷装置とを具備し、
前記端末は、親展情報を前記印刷装置に送信する親展情報送信手段と、前記印刷装置から送信された表示用データを表示する表示手段とを備え、
前記印刷装置は、親展印刷ジョブを保存する親展印刷ジョブ保存手段と、前記端末から送信された前記親展情報に基づいて前記親展印刷ジョブ保存手段に保存されている親展印刷ジョブの中から前記親展情報に該当する親展印刷ジョブを検索する親展印刷ジョブ検索手段と、検索後に前記親展情報に該当する親展印刷ジョブを前記表示手段で表示できるデータ形式に変換して前記端末に送信する表示用データ送信手段とを備える、印刷システム。
【請求項２】
前記端末は、前記表示手段に前記印刷装置の前記通信回線上のアドレスを入力することによって該印刷装置を指定する印刷装置指定手段を備える、
ことを特徴とする請求項１に記載の印刷システム。
【請求項３】
前記端末は、前記表示手段に表示されたジョブ選択画面で選択された親展印刷ジョブに関する閲覧要求を前記印刷装置に送信する閲覧要求送信手段を備え、
前記印刷装置は、親展情報入力用の画面を前記端末に送信して前記表示手段に表示させる親展情報入力用画面送信手段と、前記親展印刷ジョブ検索手段で検索された親展印刷ジョブの少なくとも名称を含む前記ジョブ選択画面を前記端末に送信して前記表示手段に表示させるジョブ選択画面送信手段とを備え、
前記印刷装置の前記表示用データ送信手段は、前記端末からの閲覧要求に該当する親展印刷ジョブを前記表示手段で表示できるデータ形式に変換して前記端末に送信するように構成されている、
ことを特徴とする請求項１または２に記載の印刷システム。
【請求項４】
前記印刷装置は、前記親展印刷ジョブ検索手段により検索しても前記親展情報に該当する親展印刷ジョブが無い場合にジョブ無し画面を前記端末に送信して前記表示手段に表示させるジョブ無し画面送信手段を備える、
ことを特徴とする請求項１乃至３のいずれか１項に記載の印刷システム。
【請求項５】
前記端末は、前記表示手段に表示された削除ジョブ選択画面で選択された親展印刷ジョブに関する復元要求を前記印刷装置に送信する復元要求送信手段を備え、
前記印刷装置は、前記親展印刷ジョブ保存手段から削除された親展印刷ジョブを保存する削除ジョブ保存手段と、前記端末から送信された前記親展情報に基づいて前記削除ジョブ保存手段に保存されている親展印刷ジョブの中から前記親展情報に該当する親展印刷ジョブを検索する削除ジョブ検索手段と、検索後に前記親展情報に該当する親展印刷ジョブの少なくとも名称を含む前記削除ジョブ選択画面を前記端末に送信して前記表示手段に表示させる削除ジョブ選択画面送信手段と、前記端末からの復元要求に該当する親展印刷ジョブを前記削除ジョブ保存手段から前記親展印刷ジョブ保存手段に保存し直す削除ジョブ復元手段とを備える、
ことを特徴とする請求項１乃至４のいずれか１項に記載の印刷システム。
【請求項６】
前記印刷装置は、前記削除ジョブ検索手段により検索しても前記親展情報に該当する親展印刷ジョブが無い場合に削除ジョブ無し画面を前記端末に送信して前記表示手段に表示させる削除ジョブ無し画面送信手段を備える、
ことを特徴とする請求項５に記載の印刷システム。
【請求項７】
親展印刷ジョブを保存する親展印刷ジョブ保存手段と、
通信回線を介して接続された端末から受信した親展情報に基づいて前記親展印刷ジョブ保存手段に保存されている親展印刷ジョブの中から前記親展情報に該当する親展印刷ジョブを検索する親展印刷ジョブ検索手段と、
前記親展印刷ジョブ検索手段による検索後に前記親展情報に該当する親展印刷ジョブを前記端末で表示できるデータ形式に変換して前記端末に送信する表示用データ送信手段と、を有する制御部、
を備えることを特徴とする印刷装置。
【請求項８】
前記制御部は更に、前記親展印刷ジョブ検索手段で検索された親展印刷ジョブの少なくとも名称を含むジョブ選択画面を前記端末に送信して表示させるジョブ選択画面送信手段を備え、
前記表示用データ送信手段は、前記端末からの閲覧要求に該当する親展印刷ジョブを前記端末で表示できるデータ形式に変換して前記端末に送信する、
ことを特徴とする請求項７に記載の印刷装置。
【請求項９】
前記制御部は更に、
前記親展印刷ジョブ保存手段から削除された親展印刷ジョブを保存する削除ジョブ保存手段と、
前記端末から送信された前記親展情報に基づいて前記削除ジョブ保存手段に保存されている親展印刷ジョブの中から前記親展情報に該当する親展印刷ジョブを検索する削除ジョブ検索手段と、
前記削除ジョブ検索手段による検索後に前記親展情報に該当する親展印刷ジョブの少なくとも名称を含む削除ジョブ選択画面を前記端末に送信して表示させる削除ジョブ選択画面送信手段と、
前記端末からの復元要求に該当する親展印刷ジョブを前記削除ジョブ保存手段から前記親展印刷ジョブ保存手段に保存し直す削除ジョブ復元手段と、を備える、
ことを特徴とする請求項７または８に記載の印刷装置。
【請求項１０】
親展印刷ジョブを保存する親展印刷ジョブ保存工程、
通信回線を介して接続された端末から受信した親展情報に基づいて前記親展印刷ジョブ保存工程に保存されている親展印刷ジョブの中から前記親展情報に該当する親展印刷ジョブを検索する親展印刷ジョブ検索工程、
前記親展印刷ジョブ検索工程による検索後に前記親展情報に該当する親展印刷ジョブを前記端末で表示できるデータ形式に変換して前記端末に送信する表示用データ送信工程、
を備える親展印刷ジョブ制御方法。
【発明の詳細な説明】
【技術分野】
【０００１】
本発明は、親展印刷機能を有する印刷システム、印刷装置、及び、その制御方法に関する。
【背景技術】
【０００２】
近年、印刷に関するセキュリティー向上を目的として、親展情報を所持したユーザーのみが印刷を行えるようにした親展印刷機能を有する印刷システムが知られている（後記特許文献１を参照）。この親展印刷機能は、例えばコンピュータ等の端末から親展印刷ジョブ（親展情報が付加された印刷ジョブ）を印刷装置に送って不揮発性メモリに保存し、そして、印刷装置への親展情報の入力と親展印刷ジョブの選択と印刷指示に基づいて所期の印刷を行うことによって実現されている。
【先行技術文献】
【特許文献】
【０００３】
【特許文献１】特開２０１０−０９２１３３号公報
【発明の概要】
【発明が解決しようとする課題】
【０００４】
ところで、前記親展印刷機能は親展情報を所持する１又は複数のユーザーが印刷装置において所望の親展印刷ジョブを印刷する機能であるため、親展印刷機能を有しない印刷システムと同様に、印刷用紙や印刷消耗品が無い場合には急ぎの印刷に応じることができない。
【０００５】
本発明の目的は、印刷用紙や印刷消耗品が無いために急ぎの印刷に応じることができない場合でも、所望の親展印刷ジョブを内容をコンピュータ等の端末のＷｅｂブラウザで閲覧できるようにして印刷物閲覧の代替行為を行える印刷システム、印刷装置及び親展印刷ジョブ制御方法を提供することを目的とする。
【課題を解決するための手段】
【０００６】
前記課題を解決するため、本発明（印刷システム）は、通信回線を介して接続された端末と印刷装置とを具備し、前記端末は、親展情報を前記印刷装置に送信する親展情報送信手段と、前記印刷装置から送信された表示用データを表示する表示手段とを備え、前記印刷装置は、親展印刷ジョブを保存する親展印刷ジョブ保存手段と、前記端末から送信された前記親展情報に基づいて前記親展印刷ジョブ保存手段に保存されている親展印刷ジョブの中から前記親展情報に該当する親展印刷ジョブを検索する親展印刷ジョブ検索手段と、検索後に前記親展情報に該当する親展印刷ジョブを前記表示手段で表示できるデータ形式に変換して前記端末に送信する表示用データ送信手段とを備える。
また、本発明（印刷装置）は、親展印刷ジョブを保存する親展印刷ジョブ保存手段と、通信回線を介して接続された端末から受信した親展情報に基づいて前記親展印刷ジョブ保存手段に保存されている親展印刷ジョブの中から前記親展情報に該当する親展印刷ジョブを検索する親展印刷ジョブ検索手段と、前記親展印刷ジョブ検索手段による検索後に前記親展情報に該当する親展印刷ジョブを前記端末で表示できるデータ形式に変換して前記端末に送信する表示用データ送信手段と、を有する制御部、を備える。
さらに、本発明（親展印刷ジョブ制御方法）は、親展印刷ジョブを保存する親展印刷ジョブ保存工程、通信回線を介して接続された端末から受信した親展情報に基づいて前記親展印刷ジョブ保存工程に保存されている親展印刷ジョブの中から前記親展情報に該当する親展印刷ジョブを検索する親展印刷ジョブ検索工程、前記親展印刷ジョブ検索工程による検索後に前記親展情報に該当する親展印刷ジョブを前記端末で表示できるデータ形式に変換して前記端末に送信する表示用データ送信工程、を備える。
【発明の効果】
【０００７】
本発明によれば、印刷用紙や印刷消耗品が無いために急ぎの印刷に応じることができない場合でも、所望の親展印刷ジョブを内容をコンピュータ等の端末のＷｅｂブラウザで閲覧できるようにして印刷物閲覧の代替行為を行える印刷システム、印刷装置及び親展印刷ジョブ制御方法を提供することができる。
【図面の簡単な説明】
【０００８】
【図１】印刷システムの親展印刷に関する構成及び機能を説明するためのブロック図である。
【図２】印刷システムのジョブ内容閲覧に関する構成を説明するためのブロック図である。
【図３】印刷システムのジョブ内容閲覧に関する機能を説明するためのフローチャートである。
【図４】印刷システムのジョブ内容閲覧に関する機能を説明するためのフローチャートである。
【図５】ジョブ内容閲覧に関するスタート画面である。
【図６】ジョブ内容閲覧に関するジョブ選択画面である。
【図７】ジョブ内容閲覧に関するジョブ無し画面である。
【図８】印刷システムの削除ジョブ復元に関する機能を説明するためのフローチャートである。
【図９】印刷システムの削除ジョブ復元に関する機能を説明するためのフローチャートである。
【図１０】削除ジョブ復元に関する作業選択画面である。
【図１１】削除ジョブ復元に関する削除ジョブ選択画面である。
【発明を実施するための形態】
【０００９】
先ず、図１を参照して、印刷システムの親展印刷に関する構成及び機能について説明する。図中の符号１はコンピュータ、符号２は印刷装置、符号３は両者が接続されたＬＡＮである。
【００１０】
親展印刷に際しては、ユーザーがコンピュータ１で文書作成等のアプリケーションソフトを用いて作成したデータファイルをＨＤＤ等の不揮発性メモリに保存する。そして、同ソフトで親展印刷を選択し、キーボードを用いてパスワードを入力するか、或いは、ＩＣカードリーダー１ａにＩＣカードを差し込んでコードを取り込み、該親展情報及び親展印刷を指示するプリンターコマンドが付加された親展印刷ジョブをスプーラーに入れる。そして、スプーラーから親展印刷ジョブを取り出し、ＬＰＲ等のプロトコルを使用して親展印刷ジョブをＬＡＮ３を通じて印刷装置２に送信する。
【００１１】
印刷装置２の送受信部２ａは前記親展印刷ジョブを受信した後にプリンターコマンドの解析を行い、解析結果に基づいて描画／実行部２ｂで各種コマンドの実行を行い、実行結果に基づいて親展印刷ジョブに対応した用紙サイズや解像度やＣＭＹＫ等のカラーデータ等を画像メモリ２ｃに保存する一方、親展印刷ジョブをＨＤＤ等の不揮発性メモリ２ｄの親展印刷データ保存領域に保存し、親展印刷ジョブの名称や保存日時や親展印刷情報を不揮発性メモリ２ｄのヘッダ領域に保存する。
【００１２】
親展印刷を行うときには、ユーザーが印刷装置２の操作パネル２ｅにてパスワードを入力するか、或いは、ＩＣカードリーダー２ｆにＩＣカードを差し込んでコードを読み取らせる。これにより、親展情報がパネル制御部２ｇを通じて描画／実行部２ｂに送られ、該親展情報に該当する親展印刷ジョブの名称等が操作パネル２ｅの表示部に表示される。そして、ユーザーが操作パネル２ｅのボタン等を用いて親展印刷ジョブの選択と印刷指示を行う。これにより、印刷制御部２ｈによって不揮発性メモリ２ｄの親展印刷データ保存領域から所望の親展印刷ジョブが取り出されて印刷エンジン２ｉに送られ、所期の印刷が行われる。
【００１３】
次に、図２を参照して、ジョブ内容閲覧に関する構成について説明する。図中の符号１はコンピュータ、符号２は印刷装置、符号３は両者が接続されたＬＡＮであり、これらは図１に示したコンピュータ１と印刷装置２とＬＡＮ３と同じものである。また、図中の符号４はタブレットコンピュータ、符号５はスマートフォンであり、何れもコンピュータ１と同様にＬＡＮ３に接続されている。
【００１４】
コンピュータ１とタブレットコンピュータ４とスマートフォン５は、何れも、ネットワーク機能を発揮するための構成の他、Ｉｎｔｅｒｎｅｔ  Ｅｘｐｌｏｒｅｒ（登録商標）やＦｉｒｅｆｏｘ（登録商標）やＧｏｏｇｌｅ  Ｃｈｒｏｍｅ（登録商標）やＳａｆａｒｉ（登録商標）等のＷｅｂブラウザを少なくとも備えている。
【００１５】
印刷装置２は、図１に示した構成に加え、ＨＴＴＰＤ（Ｈｙｐｅｒ  Ｔｅｘｔ  Ｔｒａｎｓｆｅｒ  Ｐｒｏｔｏｃｏｌ  Ｄａｅｍｏｎ）の制御下で動作する第２の送受信部２ｊと、ＨＴＭＬやＪａｖａＳｃｒｉｐｔ（登録商標）等で予め作成された後記スタート画面等を保存する第２の不揮発性メモリ２ｋと、不揮発性メモリ２ｄから取り出した親展印刷ジョブに対して解像度変換（例えば１９２０×１０８０ドットに変換）や色変換（例えばＲＧＢに変換）やフォーマット変換（例えばｂｍｐやｇｉｆやｔｉｆに変換）等を施す変換処理部２ｌと、変換後データを表示用印刷データエリアに展開するデータ展開部２ｍと、展開後データをＷｅｂブラウザに適した形式の表示用データ（例えばＨＴＭＬデータ）に変換するＣＧＩ（ＳＳＩ）処理部２ｎとを備えている。
【００１６】
次に、図３〜図７を参照して、ジョブ内容閲覧に関する機能、即ち、親展印刷ジョブの内容をコンピュータ１、タブレットコンピュータ又はスマートフォン５のＷｅｂブラウザで閲覧する機能について説明する。このジョブ内容閲覧に関する機能はコンピュータ１とタブレットコンピュータ４とスマートフォン５とで差異はないため、ここでは便宜上コンピュータ１のＷｅｂブラウザで親展印刷ジョブの内容を閲覧する場合を例に挙げて説明する。
【００１７】
ジョブ内容閲覧に際しては、ユーザーがコンピュータ１のＷｅｂブラウザを立ち上げ、該Ｗｅｂブラウザのアドレスバーに印刷装置２のＩＰアドレスを入力して該印刷装置２を指定する。指定後、印刷装置２の第２の送受信部２ｊは図５に示したスタート画面を第２の不揮発性メモリ２ｋから取り出し、これをコンピュータ１のＷｅｂブラウザに送信して表示させる（図３のステップＳＴ１）。コンピュータ１のＷｅｂブラウザに表示された図５のスタート画面には親展情報の入力の種別として「パスワード入力」と「ＩＣカードのコード読み取り」の２種類が含まれているため、ユーザーは何れかを選択した上で親展情報の入力を行い、入力後に「次へ」のボタンを押す。このスタート画面で親展情報の入力を中止するときは「キャンセル」のボタンを押す。
【００１８】
前記スタート画面で「次へ」が押されると、印刷装置２の第２の送受信部２ｊはコンピュータ１から送信された親展情報を取得すると共に該親展情報に該当する親展印刷ジョブの名称等が不揮発性メモリ２ｄのヘッダ領域に在るか否かを検索し、在るときには親展印刷ジョブの名称や保存日時を取得して表示形式の文字列に整形して保存し、そして、図６に示したジョブ選択画面を第２の不揮発性メモリ２ｋから取り出し、これをコンピュータ１のＷｅｂブラウザに送信して表示させる（図３のステップＳＴ２〜ＳＴ７）。コンピュータ１のＷｅｂブラウザに表示された図６のジョブ選択画面には親展印刷ジョブの名称と保存日時が含まれているため、ユーザーは何れかを選択した上で「閲覧」のボタンを押す。このジョブ選択画面から前記スタート画面に戻すときは「戻る」のボタンを押す。一方、無いときには、図７に示したジョブ無し画面を第２の不揮発性メモリ２ｋから取り出し、これをコンピュータ１のＷｅｂブラウザに送信して表示させる（図３のステップＳＴ８）。このジョブ無し画面から前記スタート画面に戻すときは「戻る」のボタン押す。
【００１９】
前記ジョブ選択画面をコンピュータ１のＷｅｂブラウザで表示させるときには、例えば送信前のジョブ選択画面中に〈！−−  ＬＩＳＴＤＩＳＰ    ｔａｇ＝“ＩＮＰＵＴ”    ｎａｍｅ＝“ｊｏｂｎａｍｅ”−−〉といったコマンドを組み込んでおき、親展印刷ジョブの名称等が不揮発性メモリ２ｄのヘッダ領域に在るときに該コマンドを〈ＩＮＰＵＴ  ｔｙｐｅ＝“ｈｉｄｄｅｎ”  ｎａｍｅ＝“ｊｏｂｎａｍｅ”  ｖａｌｕｅ＝“文字列”〉    〈／ＩＮＰＵＴ〉に置き換える処理をＣＧＩ（ＳＳＩ）処理部２ｎで行うようにすると良い。
【００２０】
前記ジョブ選択画面で「閲覧」が押されると、印刷装置２の第２の送受信部２ｊはコンピュータ１から送信された閲覧要求に基づいて該閲覧要求に該当する親展印刷ジョブを不揮発性メモリ２ｄの親展印刷データ保存領域から取得して、取得した親展印刷ジョブに対して解像度変換（例えば１９２０×１０８０ドットに変換）や色変換（例えばＲＧＢに変換）やフォーマット変換（例えばｂｍｐやｇｉｆやｔｉｆに変換）等を施し、変換後データを表示用印刷データエリアに展開し、展開後データをＷｅｂブラウザに適した形式の表示用データ（例えばＨＴＭＬデータ）に変換し、これをコンピュータ１のＷｅｂブラウザに送信して表示させる（図４のステップＳＴ９〜ＳＴ１４）。コンピュータ１のＷｅｂブラウザに表示される親展印刷ジョブの内容が複数頁にわたる場合には、Ｗｅｂブラウザに頁単位で親展印刷ジョブの内容を表示すると共に「次頁」や「前ページ」のボタンを併せて表示して、頁移動をユーザーが適宜行えるようにしても良い。
【００２１】
親展印刷ジョブの内容をコンピュータ１のＷｅｂブラウザで表示させるときには、例えば送信前のジョブ内容表示画面中に〈！−−  ＬＩＳＴＤＩＳＰ    ｔａｇ＝“ＩＭＧ”    ｓｒｃ＝“ｊｏｂｎａｍｅ”−−〉といったコマンドを組み込んでおき、閲覧要求があったときに該コマンドを〈ＩＭＧ  ｓｒｃ＝“ｊｏｂｎａｍｅ０．ｇｉｆ”〉に置き換える処理をＣＧＩ（ＳＳＩ）処理部２ｎで行うようにすると良い。また、コンピュータ１のＷｅｂブラウザに表示される親展印刷ジョブの内容が複数頁にわたる場合には、親展印刷ジョブの内容が複数頁にわたる場合には、ｊｏｂｎａｍｅ０の０を１、２、３…といったファイル名にしておくと良く、このようにすればＷｅｂブラウザに頁単位で親展印刷ジョブの内容を表示できる。
【００２２】
以上により、ユーザー１が印刷装置２の不揮発性メモリ２ｄに保存されている親展印刷ジョブの内容を、コンピュータ１のＷｅｂブラウザで閲覧することができる。勿論、図２に示したようにタブレットコンピュータ４やスマートフォン５がＬＡＮ３に接続されている場合には、親展情報を共有していれば前記と同じ手順にて親展印刷ジョブの内容を各々のＷｅｂブラウザで個別に又は同時に閲覧することができる。
【００２３】
依って、印刷用紙や印刷消耗品が無いために急ぎの印刷に応じることができない場合でも、所望の親展印刷ジョブの内容をコンピュータ等の端末のＷｅｂブラウザで閲覧することによって印刷物閲覧の代替行為を行うことができる。また、Ｗｅｂブラウザを備えた端末であれば、該端末の種類やオペレーションシステムの種類や居場所に拘わらずに、所望の親展印刷ジョブの内容を閲覧することができる。さらに、親展情報を共有していれば所望の親展印刷ジョブの内容を複数の端末で同時に閲覧できるので、打ち合わせ等に際して多部数の印刷が必要になるような場合でも該印刷を不要にして印刷コストの節約、ひいては経費節減に貢献することができるし、印刷物の紛失といった事態も未然に防止することができる。
【００２４】
尚、コンピュータ１等のＷｅｂブラウザで閲覧可能になった親展印刷ジョブの内容に該Ｗｅｂブラウザにおいて下線や丸印等のマーキングを行ったものを印刷装置２の不揮発性メモリ２ｄの親展印刷データ保存領域に保存されている親展印刷ジョブに反映できるようにすれば、印刷前又は閲覧前の親展印刷ジョブに対して細工を施すことできる。
【００２５】
次に、図８〜図１１を参照し、且つ、図１、図２、図５及び図７を適宜引用して、印刷システムの削除ジョブ復元（削除処理された親展印刷ジョブの復元）に関する構成及び機能について説明する。
【００２６】
図１に示した印刷システムは、印刷装置２の不揮発性メモリ２ｄの親展印刷データ保存領域に保存されている親展印刷ジョブを、親展情報を所持するユーザーが削除できる機能も有している。このジョブ削除を行うときには、ユーザーが印刷装置２の操作パネルにてパスワードを入力するか、或いは、ＩＣカードリーダー２ｆにＩＣカードを差し込んでコードを読み取らせる。これにより、親展情報がパネル制御部２ｇを通じて描画／実行部２ｂに送られ、該親展情報に該当する親展印刷ジョブの名称等が操作パネル２ｅの表示部に表示される。そして、ユーザーが操作パネル２ｅをボタン等を用いて削除すべき親展印刷ジョブの選択と削除指示を行う。これにより、不揮発性メモリ２ｄの親展印刷データ保存領域から所望の親展印刷ジョブが削除される。削除処理された親展印刷ジョブは完全に無くなる訳ではなく、間違って削除された場合を考慮して不揮発性メモリ２ｄの削除データ保存領域等に保存される。
【００２７】
削除ジョブ復元に際しては、図２に示した構成下で、ユーザーがコンピュータ１のＷｅｂブラウザを立ち上げ、該Ｗｅｂブラウザのアドレスバーに印刷装置２のＩＰアドレスを入力して該印刷装置２を指定する。指定後、印刷装置２の第２の送受信部２ｊは図５に示したスタート画面を第２の不揮発性メモリ２ｋから取り出し、これをコンピュータ１のＷｅｂブラウザに送信して表示させる（図８のステップＳＴ２１）。コンピュータ１のＷｅｂブラウザに表示された図５のスタート画面には親展情報の入力の種別として「パスワード入力」と「ＩＣカードのコード読み取り」の２種類が含まれているため、ユーザーは何れかを選択した上で親展情報の入力を行い、入力後に「次へ」のボタンを押す。このスタート画面で親展情報の入力を中止するときは「キャンセル」のボタンを押す。
【００２８】
前記スタート画面で「次へ」が押されると、印刷装置２の第２の送受信部２ｊはコンピュータ１から送信された親展情報を取得すると共に図１０に示した作業選択画面を第２の不揮発性メモリ２ｋから取り出し、これをコンピュータ１のＷｅｂブラウザに送信して表示させる（図８のステップＳＴ２２及びＳＴ２３）。コンピュータ１のＷｅｂブラウザに表示された図１０の作業選択画面には作業の種別として「親展印刷ジョブの閲覧」と「削除ジョブの復元」の２種類が含まれているため、ユーザーは「削除ジョブの復元」を選択した上で「次へ」のボタンを押す。この作業選択画面で作業選択を中止するときは「キャンセル」のボタンを押す。また、この作業選択画面で「親展印刷ジョブの閲覧」が選択されたときには、図３及び図４に示したステップＳＴ３〜ＳＴ１４の処理が実行される。
【００２９】
前記作業選択画面で「削除ジョブの復元」が選択されて「次へ」のボタンが押されると、印刷装置の第２の送受信部２ｊはステップＳＴ２２で取得した親展情報に該当する削除ジョブ（削除処理された親展印刷ジョブ）が不揮発性メモリ２ｄの削除データ保存領域等に在るか否かを検索し、在るときには削除ジョブの名称や削除日時を取得して表示形式の文字列に整形して保存し、そして、図１１に示した削除ジョブ選択画面を第２の不揮発性メモリ２ｋから取り出し、これをコンピュータ１のＷｅｂブラウザに送信して表示させる（図８のステップＳＴ２４〜ＳＴ２８）。コンピュータ１のＷｅｂブラウザに表示された図１１の削除ジョブ選択画面には削除ジョブの名称と削除日時が含まれているため、ユーザーは何れかを選択した上で「復元」のボタンを押す。この削除ジョブ選択画面から前記作業選択画面に戻すときは「戻る」のボタンを押す。一方、無いときには、図７と同様の削除ジョブ無し画面を第２の不揮発性メモリ２ｋから取り出し、これをコンピュータ１のＷｅｂブラウザに送信して表示させる（図８のステップＳＴ２９）。この削除ジョブ無し画面から前記作業選択画面に戻すときは「戻る」のボタン押す。
【００３０】
前記削除ジョブ選択画面で「復元」が押されると、印刷装置２の送受信部２ａ及び第２の送受信部２ｊはコンピュータ１から送信された復元要求に基づいて該復元要求に該当する削除ジョブを不揮発性メモリ２ｄの削除データ保存領域等から取得して、これを不揮発性メモリ２ｄの親展印刷データ保存領域に親展印刷ジョブとして保存し直す（図９のステップＳＴ３０〜ＳＴ３２）。
【００３１】
以上により、印刷装置２において削除処理された親展印刷ジョブを、該印刷装置２ではなく、コンピュータ１のＷｅｂブラウザで復元することができる。勿論、図２に示したようにタブレットコンピュータ４やスマートフォン５がＬＡＮ３に接続されている場合には、親展情報を共有していれば前記と同じ手順にて削除処理された親展印刷ジョブの復元処理（復活処理）を各々のＷｅｂブラウザで個別に行うことができる。
【００３２】
以上、本発明の幾つかの実施形態を説明したが、本発明の技術的思想を逸脱しない改良、変更及び追加等も特許請求の範囲に記載された発明とその均等の範囲に含まれる。以下に、本願の当初の特許請求の範囲に記載された発明を付記する。
【００３３】
［付記１］
通信回線を介して接続された端末と印刷装置とを具備し、前記端末は、親展情報を前記印刷装置に送信する親展情報送信手段と、前記印刷装置から送信された表示用データを表示する表示手段とを備え、前記印刷装置は、親展印刷ジョブを保存する親展印刷ジョブ保存手段と、前記端末から送信された前記親展情報に基づいて前記親展印刷ジョブ保存手段に保存されている親展印刷ジョブの中から前記親展情報に該当する親展印刷ジョブを検索する親展印刷ジョブ検索手段と、検索後に前記親展情報に該当する親展印刷ジョブを前記表示手段で表示できるデータ形式に変換して前記端末に送信する表示用データ送信手段とを備える、印刷システム。
【００３４】
［付記２］
前記端末は、前記表示手段に前記印刷装置の前記通信回線上のアドレスを入力することによって該印刷装置を指定する印刷装置指定手段を備える、ことを特徴とする付記１に記載の印刷システム。
【００３５】
［付記３］
前記端末は、前記表示手段に表示されたジョブ選択画面で選択された親展印刷ジョブに関する閲覧要求を前記印刷装置に送信する閲覧要求送信手段を備え、前記印刷装置は、親展情報入力用の画面を前記端末に送信して前記表示手段に表示させる親展情報入力用画面送信手段と、前記親展印刷ジョブ検索手段で検索された親展印刷ジョブの少なくとも名称を含む前記ジョブ選択画面を前記端末に送信して前記表示手段に表示させるジョブ選択画面送信手段とを備え、前記印刷装置の前記表示用データ送信手段は、前記端末からの閲覧要求に該当する親展印刷ジョブを前記表示手段で表示できるデータ形式に変換して前記端末に送信するように構成されている、ことを特徴とする付記１または２に記載の印刷システム。
【００３６】
［付記４］
前記印刷装置は、前記親展印刷ジョブ検索手段により検索しても前記親展情報に該当する親展印刷ジョブが無い場合にジョブ無し画面を前記端末に送信して前記表示手段に表示させるジョブ無し画面送信手段を備える、ことを特徴とする付記１乃至３のいずれか１つに記載の印刷システム。
【００３７】
［付記５］
前記端末は、前記表示手段に表示された削除ジョブ選択画面で選択された親展印刷ジョブに関する復元要求を前記印刷装置に送信する復元要求送信手段を備え、前記印刷装置は、前記親展印刷ジョブ保存手段から削除された親展印刷ジョブを保存する削除ジョブ保存手段と、前記端末から送信された前記親展情報に基づいて前記削除ジョブ保存手段に保存されている親展印刷ジョブの中から前記親展情報に該当する親展印刷ジョブを検索する削除ジョブ検索手段と、検索後に前記親展情報に該当する親展印刷ジョブの少なくとも名称を含む前記削除ジョブ選択画面を前記端末に送信して前記表示手段に表示させる削除ジョブ選択画面送信手段と、前記端末からの復元要求に該当する親展印刷ジョブを前記削除ジョブ保存手段から前記親展印刷ジョブ保存手段に保存し直す削除ジョブ復元手段とを備える、ことを特徴とする付記１乃至４のいずれか１つに記載の印刷システム。
【００３８】
［付記６］
前記印刷装置は、前記削除ジョブ検索手段により検索しても前記親展情報に該当する親展印刷ジョブが無い場合に削除ジョブ無し画面を前記端末に送信して前記表示手段に表示させる削除ジョブ無し画面送信手段を備える、ことを特徴とする付記５に記載の印刷システム。
【００３９】
［付記７］
親展印刷ジョブを保存する親展印刷ジョブ保存手段と、通信回線を介して接続された端末から受信した親展情報に基づいて前記親展印刷ジョブ保存手段に保存されている親展印刷ジョブの中から前記親展情報に該当する親展印刷ジョブを検索する親展印刷ジョブ検索手段と、前記親展印刷ジョブ検索手段による検索後に前記親展情報に該当する親展印刷ジョブを前記端末で表示できるデータ形式に変換して前記端末に送信する表示用データ送信手段と、を有する制御部、を備えることを特徴とする印刷装置。
【００４０】
［付記８］
前記制御部は更に、前記親展印刷ジョブ検索手段で検索された親展印刷ジョブの少なくとも名称を含むジョブ選択画面を前記端末に送信して表示させるジョブ選択画面送信手段を備え、前記表示用データ送信手段は、前記端末からの閲覧要求に該当する親展印刷ジョブを前記端末で表示できるデータ形式に変換して前記端末に送信する、ことを特徴とする付記７に記載の印刷装置。
【００４１】
［付記９］
前記制御部は更に、前記親展印刷ジョブ保存手段から削除された親展印刷ジョブを保存する削除ジョブ保存手段と、前記端末から送信された前記親展情報に基づいて前記削除ジョブ保存手段に保存されている親展印刷ジョブの中から前記親展情報に該当する親展印刷ジョブを検索する削除ジョブ検索手段と、前記削除ジョブ検索手段による検索後に前記親展情報に該当する親展印刷ジョブの少なくとも名称を含む削除ジョブ選択画面を前記端末に送信して表示させる削除ジョブ選択画面送信手段と、前記端末からの復元要求に該当する親展印刷ジョブを前記削除ジョブ保存手段から前記親展印刷ジョブ保存手段に保存し直す削除ジョブ復元手段と、を備える、ことを特徴とする付記７または８に記載の印刷装置。
【００４２】
［付記１０］
親展印刷ジョブを保存する親展印刷ジョブ保存工程、通信回線を介して接続された端末から受信した親展情報に基づいて前記親展印刷ジョブ保存工程に保存されている親展印刷ジョブの中から前記親展情報に該当する親展印刷ジョブを検索する親展印刷ジョブ検索工程、前記親展印刷ジョブ検索工程による検索後に前記親展情報に該当する親展印刷ジョブを前記端末で表示できるデータ形式に変換して前記端末に送信する表示用データ送信工程、を備える親展印刷ジョブ制御方法。
【産業上の利用可能性】
【００４３】
本発明は、ＬＡＮ等の通信回線を介して接続されたコンピュータ等の端末と印刷装置とを備えた印刷システムに幅広く利用することができる。
【符号の説明】
【００４４】
１…コンピュータ、１ａ…カードリーダー、２…印刷装置、２ａ…送受信部、２ｂ…描画／実行部、２ｃ…画像メモリ、２ｄ…不揮発性メモリ、２ｅ…操作パネル、２ｆ…カードリーダー、２ｇ…パネル制御部、２ｈ…印刷制御部、２ｉ…印刷エンジン、２ｊ…第２の送受信部、２ｋ…第２の不揮発性メモリ、２ｌ…変換処理部、２ｍ…データ展開部、２ｎ…ＣＧＩ（ＳＳＩ）処理部、３…ＬＡＮ、４…タブレットコンピュータ、５…スマートフォン。
【図１】
2015184948.tif 000003
【図２】
2015184948.tif 000004
【図３】
2015184948.tif 000005
【図４】
2015184948.tif 000006
【図５】
2015184948.tif 000007
【図６】
2015184948.tif 000008
【図７】
2015184948.tif 000009
【図８】
2015184948.tif 000010
【図９】
2015184948.tif 000011
【図１０】
2015184948.tif 000012
【図１１】
2015184948.tif 000013